(57)【要約】      （修正有）【課題】簡易な構成で、有彩色トナーで無彩色を安定して再現する。【解決手段】画像形成装置１は、画像データを画像形成装置で利用可能な複数のトナー色で再現するための色変換処理を行う色変換処理部２１と、無彩色領域の検出に応じて、有彩色のトナーで無彩色を再現するパッチであるコンポジットパッチを転写ベルト上に形成させ、コンポジットパッチを構成するトナー色毎にコンポジットパッチの濃度を測定する濃度測定部２８と、無彩色を表す画像領域である予め設定されている無彩色領域を検出し、トナー色毎に測定されたコンポジットパッチの濃度差に基づいて彩度を算出し、該彩度が小さくなるように色変換処理の内容を調整する色変換調整部２１１と、を有し、無彩色画像データに基づいて複数のトナー色のうちの有彩色のトナーを使用して無彩色のトナー像を再現し、印刷媒体上にトナー像を転写する転写ベルトを有する画像形成部２０を備える。【選択図】図１
2018074340.tif 000002
【特許請求の範囲】
【請求項１】
画像データに応じて印刷媒体上にカラー画像を再現する画像形成装置であって、
前記画像データを前記画像形成装置で利用可能な複数のトナー色で再現するための色変換処理を行う色変換処理部と、
無彩色を表す無彩色画像データに基づいて前記複数のトナー色のうちの有彩色のトナーを使用して無彩色のトナー像を再現し、前記印刷媒体上に前記トナー像を転写する転写ベルトを有する画像形成部と、
前記画像データに含まれる無彩色を表す画像領域である予め設定されている無彩色領域を検出する無彩色領域検出部と、
前記無彩色領域の検出に応じて、前記有彩色のトナーで無彩色を再現するパッチであるコンポジットパッチを前記転写ベルト上に形成させ、前記コンポジットパッチを構成するトナー色毎に前記コンポジットパッチの濃度を測定する濃度測定部と、
前記トナー色毎に測定された前記コンポジットパッチの濃度差に基づいて彩度を算出し、前記算出された彩度が小さくなるように前記色変換処理の内容を調整する色変換調整部と、
を備える画像形成装置。
【請求項２】
請求項１記載の画像形成装置であって、
前記濃度測定部は、予め準備されている複数のコンポジットパッチのうち前記検出された無彩色領域の濃度に近い濃度を有する少なくとも１つのコンポジットパッチを選択し、前記選択されたコンポジットパッチを前記転写ベルト上に形成する画像形成装置。
【請求項３】
請求項１又は２に記載の画像形成装置であって、
前記無彩色領域検出部は、予め設定されている低い濃度の階調範囲において前記無彩色領域を検出する画像形成装置。
【請求項４】
請求項１乃至３のいずれか１項に記載の画像形成装置であって、
前記無彩色領域検出部は、前記無彩色画素で構成されている領域に含まれる画素数が予め設定されている閾値以上である領域を検出し、
前記閾値は、濃度の低い階調では、濃度の高い階調よりも小さく設定されている画像形成装置。
【請求項５】
請求項１乃至４のいずれか１項に記載の画像形成装置であって、
前記色変換調整部は、前記算出された彩度に基づいて前記複数のトナー色について前記色変換処理が必要であると判断し、前記判断結果をユーザーに知らせる画像形成装置。
【請求項６】
画像形成装置を用い、画像データに応じて印刷媒体上にカラー画像を再現する画像形成方法であって、
前記画像データを前記画像形成装置で利用可能な複数のトナー色で再現するための色変換処理を行う色変換工程と、
無彩色を表す無彩色画像データに基づいて前記複数のトナー色のうちの有彩色のトナーを使用して無彩色のトナー像を再現し、前記印刷媒体上に前記トナー像を転写する転写ベルトを有する画像形成工程と、
前記画像データに含まれる無彩色を表す画像領域である予め設定されている無彩色領域を検出する無彩色領域検出工程と、
前記無彩色領域の検出に応じて、前記有彩色のトナーで無彩色を再現するパッチであるコンポジットパッチを前記転写ベルト上に形成させ、前記コンポジットパッチを構成するトナー色毎に前記コンポジットパッチの濃度を測定する濃度測定工程と、
前記トナー色毎に測定された前記コンポジットパッチの濃度差に基づいて彩度を算出し、前記算出された彩度が小さくなるように前記色変換処理の内容を調整する色変換調整工程と、
を備える画像形成方法。
【請求項７】
画像データに応じて印刷媒体上にカラー画像を再現する画像形成装置を制御するための画像形成プログラムであって、
前記画像データを前記画像形成装置で利用可能な複数のトナー色で再現するための色変換処理を行う色変換処理部、
無彩色を表す無彩色画像データに基づいて前記複数のトナー色のうちの有彩色のトナーを使用して無彩色のトナー像を再現し、前記印刷媒体上に前記トナー像を転写する転写ベルトを有する画像形成部、
前記画像データに含まれる無彩色を表す画像領域である予め設定されている無彩色領域を検出する無彩色領域検出部、
前記無彩色領域の検出に応じて、前記有彩色のトナーで無彩色を再現するパッチであるコンポジットパッチを前記転写ベルト上に形成させ、前記コンポジットパッチを構成するトナー色毎に前記コンポジットパッチの濃度を測定する濃度測定部、及び
前記トナー色毎に測定された前記コンポジットパッチの濃度差に基づいて彩度を算出し、前記算出された彩度が小さくなるように前記色変換処理の内容を調整する色変換調整部として前記画像形成装置を機能させる画像形成プログラム。
【発明の詳細な説明】
【技術分野】
【０００１】
本発明は、画像形成装置、画像形成装置、画像形成方法及び画像形成プログラムに関し、詳しくは、無彩色をコンポジットで再現する技術に関する。
【背景技術】
【０００２】
近年、カラー複写機やカラープリンターの普及に伴いカラー画像を忠実に再現する要求が高まっている。このため、正確な色再現を実現するためにカラーパッチを印刷し、印刷されたカラーパッチをセンサで検知して画像形成プロセスを校正する技術が提案されている。一方、カラー画像の忠実な再現においては、ブラックドットに起因するざらつきを抑制するために無彩色をコンポジットで再現することが望まれる。ところが、コンポジットグレーにおいては、ＣＭＹの各色の面内の濃度ムラに起因して色相が変化して見えることがある。すなわち、無彩色に赤み等の有彩色が入る場合がある。このような問題を解決するために、特許文献１は、面内の濃度ムラの程度に応じて、Ｕｎｄｅｒ  Ｃｏｌｏｒ  Ｒｅｍｏｖａｌ（ＵＣＲ）の量を適切に制御することによってグレーの再現を安定化する技術を提案している。
【先行技術文献】
【特許文献】
【０００３】
【特許文献１】特開２００９−２５３９５７号公報
【発明の概要】
【発明が解決しようとする課題】
【０００４】
しかし、特許文献１の技術では、面内の濃度ムラが大きいときには、コンポジット中のブラックドットが多くなってザラツキ感が目立ってしまい、写真画像のような再現には適さないという問題があった。すなわち、特許文献１の技術は、無彩色の再現において、有彩色の発生とざらつきのトレードオフの問題を生じさせていた。
【０００５】
本発明は、このような状況に鑑みてなされたものであり、簡易な構成で安定して有彩色トナーで無彩色を再現するための技術を提供することを目的とする。
【課題を解決するための手段】
【０００６】
本発明は、画像データに応じて印刷媒体上にカラー画像を再現する画像形成装置を提供する。前記画像形成装置は、前記画像データを前記画像形成装置で利用可能な複数のトナー色で再現するための色変換処理を行う色変換処理部と、無彩色を表す無彩色画像データに基づいて前記複数のトナー色のうちの有彩色のトナーを使用して無彩色のトナー像を再現し、前記印刷媒体上に前記トナー像を転写する転写ベルトを有する画像形成部と、前記画像データに含まれる無彩色を表す画像領域である予め設定されている無彩色領域を検出する無彩色領域検出部と、前記無彩色領域の検出に応じて、前記有彩色のトナーで無彩色を再現するパッチであるコンポジットパッチを前記転写ベルト上に形成させ、前記コンポジットパッチを構成するトナー色毎に前記コンポジットパッチの濃度を測定する濃度測定部と、前記トナー色毎に測定された前記コンポジットパッチの濃度差に基づいて彩度を算出し、前記算出された彩度が小さくなるように前記色変換処理の内容を調整する色変換調整部とを備える。
【０００７】
本発明は、画像データに応じて印刷媒体上にカラー画像を再現する画像形成方法を提供する。前記画像形成方法は、前記画像データを前記画像形成装置で利用可能な複数のトナー色で再現するための色変換処理を行う色変換工程と、無彩色を表す無彩色画像データに基づいて前記複数のトナー色のうちの有彩色のトナーを使用して無彩色のトナー像を再現し、前記印刷媒体上に前記トナー像を転写する転写ベルトを有する画像形成工程と、前記画像データに含まれる無彩色を表す画像領域である予め設定されている無彩色領域を検出する無彩色領域検出工程と、前記無彩色領域の検出に応じて、前記有彩色のトナーで無彩色を再現するパッチであるコンポジットパッチを前記転写ベルト上に形成させ、前記コンポジットパッチを構成するトナー色毎に前記コンポジットパッチの濃度を測定する濃度測定工程と、前記トナー色毎に測定された前記コンポジットパッチの濃度差に基づいて彩度を算出し、前記算出された彩度が小さくなるように前記色変換処理の内容を調整する色変換調整工程とを備える。
【０００８】
本発明は、画像データに応じて印刷媒体上にカラー画像を再現する画像形成装置を制御するための画像形成プログラムを提供する。前記画像形成プログラムは、前記画像データを前記画像形成装置で利用可能な複数のトナー色で再現するための色変換処理を行う色変換処理部、無彩色を表す無彩色画像データに基づいて前記複数のトナー色のうちの有彩色のトナーを使用して無彩色のトナー像を再現し、前記印刷媒体上に前記トナー像を転写する転写ベルトを有する画像形成部、前記画像データに含まれる無彩色を表す画像領域である予め設定されている無彩色領域を検出する無彩色領域検出部、前記無彩色領域の検出に応じて、前記有彩色のトナーで無彩色を再現するパッチであるコンポジットパッチを前記転写ベルト上に形成させ、前記コンポジットパッチを構成するトナー色毎に前記コンポジットパッチの濃度を測定する濃度測定部、及び前記トナー色毎に測定された前記コンポジットパッチの濃度差に基づいて彩度を算出し、前記算出された彩度が小さくなるように前記色変換処理の内容を調整する色変換調整部として前記画像形成装置を機能させる。
【発明の効果】
【０００９】
本発明によれば、簡易な構成で安定して有彩色トナーで無彩色を再現するための技術を提供することができる。
【図面の簡単な説明】
【００１０】
【図１】本発明の一実施形態に係る画像形成装置１の機能構成を示すブロックダイアグラムである。
【図２】一実施形態に係る画像形成装置１の全体構成を示す断面図である。
【図３】一実施形態に係る画像形成装置１の無彩色調整処理手順の内容を示すフローチャートである。
【図４】一実施形態に係る画像形成装置１の色変換調整処理手順の内容を示すフローチャートである。
【発明を実施するための形態】
【００１１】
以下、本発明を実施するための形態（以下、「実施形態」という）を、図面を参照して説明する。
【００１２】
図１は、本発明の一実施形態に係る画像形成装置１の機能構成を示すブロックダイアグラムである。画像形成装置１は、制御部１０と、画像形成部２０と、記憶部４０と、画像読取部５０と、定着部８０とを備えている。画像読取部５０は、原稿から画像を読み取ってデジタルデータである画像データＩＤを生成する。
【００１３】
画像形成部２０は、色変換処理部２１と、ハーフトーン処理部２２と、濃度測定部２８と、露光部２９と、感光体ドラム（像担持体）３０ｃ〜３０ｋと、現像部１００ｃ〜１００ｋ、帯電部２５ｃ〜２５ｋと、色変換調整部２１１とを有している。色変換処理部２１は、ＲＧＢデータである画像データＩＤをＣＭＹＫデータに色変換する。ハーフトーン処理部２２は、ＣＭＹＫデータにハーフトーン処理を実行してＣＭＹＫのハーフトーンデータを生成する。色変換調整部２１１の機能については後述する。
【００１４】
制御部１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１０は、各種Ｉ／Ｏ、ＵＳＢ（ユニバーサル・シリアル・バス）、バス、その他ハードウェア等のインターフェイスに関連するコントローラ機能を備え、画像形成装置１全体を制御する。
【００１５】
記憶部４０は、非一時的な記録媒体であるハードディスクドライブやフラッシュメモリー等からなる記憶装置で、制御部１０や画像形成部２０が実行する処理の制御プログラムやデータを記憶する。記憶部４０は、本実施形態では、さらにＣＭＹＫ階調校正用の各校正用パッチを形成するための校正用データＣＤを格納している。校正用データＣＤには、ＣＭＹのトナーでグレーを表現するコンポジットグレーの校正用パッチを形成するためのデータも含まれている。
【００１６】
図２は、第１実施形態に係る画像形成装置１の全体構成を示す断面図である。本実施形態の画像形成装置１は、タンデム型のカラープリンターである。画像形成装置１は、その筐体７０内に、マゼンタ、シアン、イエロー、及びブラックの各色に対応させて感光体ドラム（像担持体）３０ｍ、３０ｃ、３０ｙ及び３０ｋが一列に配置されている。感光体ドラム３０ｍ、３０ｃ、３０ｙ及び３０ｋのそれぞれに隣接して、現像部１００ｍ、１００ｃ、１００ｙ及び１００ｋが配置されている。
【００１７】
感光体ドラム３０ｍ、３０ｃ、３０ｙ及び３０ｋには、露光部２９から各色用のレーザー光Ｌｍ、Ｌｃ、Ｌｙ及びＬｋが照射（露光）される。この照射によって、感光体ドラム３０ｍ、３０ｃ、３０ｙ及び３０ｋに静電潜像が形成される。現像部１００ｍ、１００ｃ、１００ｙ及び１００ｋは、トナーを攪拌しながら、感光体ドラム３０ｍ、３０ｃ、３０ｙ及び３０ｋの表面に形成された静電潜像にトナーを付着させる。これにより、現像工程が完了し、感光体ドラム３０ｃ〜３０ｋの表面に各色のトナー像が形成される。
【００１８】
画像形成装置１は、無端状の中間転写ベルト２７を有している。中間転写ベルト２７は、テンションローラ２４、駆動ローラ２６ａ及び従動ローラ２６ｂに張架されている。中間転写ベルト２７は、駆動ローラ２６ａの回転によって循環駆動させられる。
【００１９】
たとえば感光体ドラム３０ｋ上のブラックのトナー像は、感光体ドラム３０ｋと一次転写ローラ２３ｋとで中間転写ベルト２７を挟み、中間転写ベルト２７が循環駆動させられることによって中間転写ベルト２７に一次転写される。この点は、シアン、イエロー、マゼンタの３色についても同様である。中間転写ベルト２７の表面には、所定のタイミングで相互に重ね合わせられるように一次転写が行われることによってフルカラートナー像が形成される。
【００２０】
濃度測定部２８は、一次転写が行われた校正用のパッチ（コンポジットパッチを含む）の濃度を測定するためのトナー色毎の濃度センサを駆動ローラ２６ａの上流側で現像部１００ｍの下流側に配置している。濃度測定部２８は、シアン（Ｃ）の補色の関係にある赤色の反射光の光量を測定するセンサと、マゼンタ（Ｍ）の補色の関係にある緑色の反射光の光量を測定するセンサと、イエロー（Ｙ）の補色の関係にある青色の反射光の光量を測定するセンサとを備えている。これにより、濃度測定部２８は、ＣＭＹの各色のトナーの濃度を測定することができる。
【００２１】
フルカラートナー像は、その後、給紙カセット６０から供給された印刷用紙Ｐに二次転写され、定着部８０の定着ローラ対８１によって印刷媒体としての印刷用紙Ｐに定着される。このように、マゼンタ、シアン、イエロー、及びブラックの複数のトナー色が利用可能であり、カラー画像が印刷媒体上に形成される。
【００２２】
図３は、一実施形態に係る画像形成装置１の無彩色調整処理手順の内容を示すフローチャートである。無彩色調整処理手順は、ＣＭＹの各色のトナーを使用してコンポジットのグレーを再現する際の色変換処理の内容を調整して、有彩色を帯びない正確な無彩色を再現するための調整処理である。
【００２３】
ステップＳ１０では、色変換調整部２１１は、無彩色データ検出処理を実行する。無彩色データ検出処理では、色変換調整部２１１は、ＲＧＢ画像データの各画素値（ＲＧＢ値）を解析し、彩度（ＲＧＢ値の最大値−ＲＧＢ値の最小値）が予め設定されている所定の閾値Ａ（この例では、３０階調）以下、すなわち、彩度の小さい画素（無彩色画素とも呼ばれる。）を表す無彩色画像データを検出する。
【００２４】
ステップＳ２０では、色変換調整部２１１は、無彩色画像データが検出されなかった場合には、処理をステップＳ９０に進めて色変換調整処理（ステップＳ８０）をスキップし、無彩色画像データが検出された場合には、処理をステップＳ３０に進める。
【００２５】
ステップＳ３０では、色変換調整部２１１は、無彩色領域検出部として機能し、無彩色領域検出処理を実行する。無彩色領域は、本実施形態では、人間の視覚で検知可能な大きさを有し、無彩色画素で構成されている無彩色を表す画像領域を意味している。無彩色領域は、無彩色画素で構成されている領域の大きさ（たとえば構成画素数）が領域毎に、予め設定されている所定の閾値Ｂ１以上であるか否かに基づいて判断することができる。
【００２６】
さらに、無彩色領域検出処理は、無彩色画素の画素数が予め設定されている所定の閾値Ｂ２以上であるか否かに基づいて判断してもよいし、無彩色画素の画素数の総画素数に対する割合が予め設定されている所定の閾値Ｂ２以上であるか否かに基づいて判断してもよい。
【００２７】
ステップＳ４０では、色変換調整部２１１は、無彩色領域が検出されなかった場合には、処理をステップＳ９０に進めて色変換調整処理（ステップＳ８０）をスキップし、無彩色領域が検出された場合には、処理をステップＳ５０に進める。
【００２８】
ステップＳ５０では、色変換調整部２１１は、無彩色パッチ形成処理を実行する。無彩色パッチ形成処理では、色変換調整部２１１は、校正用データＣＤから無彩色パッチとしてのコンポジットグレーのパッチを形成するためのデータを読み出して、コンポジットグレーのパッチを中間転写ベルト２７上に形成する。コンポジットグレーのパッチは、ＣＭＹあるいはＣＭＹＫのトナーで再現される。
【００２９】
色変換調整部２１１は、検出された無彩色領域の濃度に近い濃度を有する少なくとも１つのコンポジットパッチを選択して一部の階調範囲を部分的に調整するようにしてもよい。こうすれば、校正用のパッチの形成で消費されるトナーの量を低減させることができる。
【００３０】
ステップＳ６０では、色変換調整部２１１は、彩度測定処理を実行する。彩度測定処理では、濃度測定部２８は、コンポジットグレーのパッチにおけるＣＭＹの各色のトナーの濃度を測定する。色変換調整部２１１は、ＣＭＹの各色のトナーの濃度に基づいて彩度を測定する。彩度は、たとえばＣＭＹの濃度の最大値とＣＭＹの濃度の最小値の差として算出することができる。
【００３１】
ステップＳ７０では、色変換調整部２１１は、算出された彩度が予め設定されている所定の閾値Ｃ以下であるか否かに基づいて判断する。彩度が閾値Ｃ以下である場合には、処理をステップＳ９０に進めて色変換調整処理（ステップＳ８０）をスキップし、彩度が閾値Ｃより大きい場合には、処理をステップＳ８０に進める。
【００３２】
図４は、一実施形態に係る画像形成装置１の色変換調整処理手順（ステップＳ８０）の内容を示すフローチャートである。色変換調整処理は、たとえば画像形成部２０の特性変動に起因して、無彩色として再現されるべきコンポジットグレーのパッチが彩度を有する事態となった場合であっても色変換処理を調整することによってコンポジットグレーの彩度を下げる処理である。
【００３３】
ステップＳ８１では、色変換調整部２１１は、ＣＭＹ差分濃度算出処理を実行する。ＣＭＹ差分濃度算出処理は、ＣＭＹの各色のトナーについて差分濃度を算出する処理である。差分濃度は、目標濃度と測定濃度の差（濃度差＝目標濃度−測定濃度）である。目標濃度は、校正用データＣＤが有する無彩色パッチ用のデータの再現結果として予め準備してあるＣＭＹの濃度である。
【００３４】
ステップＳ８２では、色変換調整部２１１は、差分濃度が正の場合には、処理をステップＳ８３に進め、差分濃度がゼロ以下の場合には、処理をステップＳ８４に進める。ステップＳ８２〜ステップＳ８４の処理は、ＣＭＹの各色のトナーについてそれぞれ実行される。具体的には、たとえばＣＭの各色のトナーについて差分濃度が正であり、Ｙ色のトナーについて差分濃度が負である場合を仮定する。
【００３５】
ステップＳ８３では、色変換調整部２１１は、濃度増加処理を実行する。濃度増加処理では、色変換調整部２１１は、色変換テーブルＬＵＴを調整してＣＭの各色のトナーの濃度を増加させる。具体的には、ＣＭの各色のトナーについては、目標濃度よりも測定濃度が低いので、調整して同一の画素値（ＲＧＢ値）に対してＣＭの各色のトナー濃度を高くする。これにより、ＣＭの各色のトナーの再現精度を高めることができる。
【００３６】
ステップＳ８４では、色変換調整部２１１は、濃度減少処理を実行する。濃度減少処理では、色変換調整部２１１は、色変換テーブルＬＵＴを調整してＹ色のトナーの濃度を減少させる。具体的には、Ｙ色のトナーについては、目標濃度よりも測定濃度が高いので、調整して同一の画素値（ＲＧＢ値）に対してＹ色のトナー濃度を低くする。これにより、Ｙ色のトナーの再現精度を高めることができる。
【００３７】
ステップＳ８３では、色変換調整部２１１は、ステップＳ８３及びステップＳ８４の処理結果に基づいて、調整された色変換テーブルＬＵＴを生成する。色変換調整部２１１は、さらに、調整された色変換テーブルＬＵＴを記憶部４０に記憶する。
【００３８】
ステップＳ８５では、色変換処理部２１は、色変換処理を実行する。色変換処理は、必要に応じて調整された色変換テーブルＬＵＴを使用して行われる。
【００３９】
このように、本実施形態に係る画像形成装置１では、本実施形態では、ＣＭＹＫの全色ではなく、コンポジットグレーの校正用パッチのみが形成されるので、ＣＭＹＫの階調を校正するためのパッチを形成して色変換テーブルＬＵＴを校正する場合と比較して、校正用のパッチの形成数も処理負担や時間も少なくてよい。これにより、簡易な構成で安定して有彩色トナーで無彩色を再現することができる。
【００４０】
さらに、本実施形態では、検出された無彩色領域の濃度に近い濃度を有する少なくとも１つのコンポジットパッチを選択して一部の階調範囲が部分的に調整されるので、校正用のパッチの形成数も少なくなって処理負担や時間を顕著に低減させることができる。
【００４１】
本発明は、上述の実施形態だけでなく、以下のような変形例でも実施することができる。
【００４２】
変形例１：上述の実施形態は、無彩色画像データ検出処理や無彩色領域検出処理において、ＲＧＢ画像データの各画素値（ＲＧＢ値）が使用されているが、ＣＭＹＫ画像データあるいはＣＭＹ画像データの各画素値（ＣＭＹＫ値又はＣＭＹ値）を使用してもよい。
【００４３】
変形例２：上述の実施形態では、コンポジットグレーにおける不意の彩度の発生の観点から校正が実施されているが、コンポジットグレーの形成では、ＣＭＹ又はＣＭＹＫの各色のトナー濃度の再現性を大まかにではあるが、一括して確認することができる。したがって、ＣＭＹ差分濃度算出処理において、予め設定されている閾値Ｄよりも大きな差分濃度が発生した場合には、全体校正が必要であることを判断し、図示しない操作表示部を利用してユーザーに知らせることができる。このように、上述の実施形態は、全体校正の要否判断にも利用することができる。
【００４４】
変形例３：上記実施形態では、無彩色画像データ検出処理や無彩色領域検出処理は、コンポジットグレーの階調値（濃度）に関係なく処理が行われているが、無彩色領域における不意の彩度の発生は、比較的に階調が低い領域（すなわち薄い領域）において顕著に人間の視覚で検知できる。よって、無彩色領域検出処理は、たとえば比較的に低い階調範囲に限定して処理するようにしてもよいし、無彩色領域検出処理における閾値Ｂの大きさを比較的に低い階調範囲（低濃度範囲）では小さくし、比較的に高い階調範囲（高濃度範囲）では大きくするようにしてもよい。
【００４５】
変形例４：上記実施形態では、色変換処理テーブルを調整しているが、必ずしも色変換処理テーブルを調整する必要はなく、濃度増加処理や濃度減少処理の代わりに濃度を増加あるいは減少させるための補正係数を設定するようにしてもよい。
【符号の説明】
【００４６】
１  画像形成装置
１０  制御部
２０  画像形成部
２１  色変換処理部
２２  ハーフトーン処理部
２３  露光部
２８  濃度測定部
４０  記憶部
５０  画像読取部
５１  光源ドライバ
５２  白色光源
５３  イメージセンサ
５４  信号処理部
５５  ＡＧＣ処理部
６０  給紙カセット
７０  筐体
２１１  色変換調整部
【図１】
2018074340.tif 000003
【図２】
2018074340.tif 000004
【図３】
2018074340.tif 000005
【図４】
2018074340.tif 000006